(57)【特許請求の範囲】
【請求項１】
横方向と縦方向と厚さ方向と、肌対向面と非肌対向面とを有し、前ウエスト域と、後ウエスト域と、前記前後ウエスト域の間に位置するクロッチ域と、少なくとも前記クロッチ域に配置された吸液構造体とを含み、前記前後ウエスト域の両側縁が互いに固定されて画成されたウエスト開口を有する使い捨て着用物品において、
前記吸液構造体は、前記肌対向面側に位置する透液性の身体側ライナと、前記身体側ライナの前記非肌対向面側に位置する吸液性コアと、前記吸液性コアの両端縁から前記縦方向の外側へ延びるエンドフラップとを有し、
前記身体側ライナの前記肌対向面には、前記縦方向へそれぞれ延びて前記横方向に交互に並ぶ畝部と溝部とから形成された凹凸部が位置し、
前記前後ウエスト域は、前記肌対向面側に位置する内層シートと、前記非肌対向面側に位置する外層シートと、前記エンドフラップの両端縁を覆うカバーシートを有し、
前記カバーシートと前記吸液性コアとは、平面視において重ならず、
前記外層シートは、前記非肌対向面に位置する主体部と、前記主体部から前記縦方向の外側に延出して前記肌対向面の一部を画成する延出部と、前記主体部と前記延出部との間に位置する折曲部とを有し、
前記前ウエスト域の前記外層シートにおける前記延出部の前記縦方向の内側に位置する内端部は、前記厚さ方向において前記カバーシートと前記主体部との間に位置し、
前記後ウエスト域の前記外層シートにおける前記延出部の前記縦方向の内側に位置する内端部と、前記カバーシートの前記縦方向の外側に位置する外端部とは、前記平面視において離隔するように前記カバーシートを配置してあり、
前記外層シートにおける前記延出部の前記内端部が、前記カバーシートの前記外端部の前記縦方向の外側に位置することを特徴とする着用物品。
【請求項２】
前記身体側ライナは、熱可塑性の合成繊維を含んだ繊維不織布から形成され、
前記溝部では、前記合成繊維が溶着された状態であり、
前記畝部では、前記合成繊維が溶着されていないため、前記溝部に比して前記合成繊維が互いに分散された状態である請求項１に記載の着用物品。
【請求項３】
前記身体側ライナは、前記横方向に対する剛性よりも前記縦方向に対する剛性が大きい請求項１または２に記載の着用物品。
【請求項４】
前記身体側ライナは、前記クロッチ域における前記畝部と前記溝部との前記厚さ方向の寸法よりも、前記前後ウエスト域における前記畝部と前記溝部との前記厚さ方向の寸法が大きい請求項１〜３のいずれかに記載の着用物品。
【請求項５】
前記前後ウエスト域は、前記肌対向面側に位置する内面シートと、前記非肌対向面側に位置する外面シートと、前記内面シートと前記外面シートとの間に位置する弾性部材とを有し、
前記弾性部材が前記横方向へ収縮することによって、前記身体側ライナは、前記クロッチ域における前記畝部と前記溝部との前記厚さ方向の寸法よりも、前記前後ウエスト域における前記畝部と前記溝部との前記厚さ方向の寸法が大きくなる請求項４に記載の着用物品。
【請求項６】
前記カバーシートの前記縦方向における中央部が前記エンドフラップに固定される一方、前記縦方向における内外端部のうち少なくとも内端部が前記エンドフラップに固定されていない請求項５に記載の着用物品。
【発明の詳細な説明】
【技術分野】
【０００１】
本発明は、使い捨て着用物品に関する。
【背景技術】
【０００２】
従来、肌対向面に凹部と凸部とを有する表面シートを備えた使い捨ておむつ（使い捨て着用物品）は公知である。例えば、特許文献１には、上述した表面シート（身体側ライナ）を吸収体が備えたおむつが開示されている。
【０００３】
このおむつでは、吸収体は、表面シートの非肌対向面側に尿等の排泄物を吸収する吸液性コアと、吸液性コアの両端縁から外方へ延びるエンドフラップとを有している。
【０００４】
また、このおむつは、吸収体のエンドフラップの両端縁を覆うカバーシートを修している、このおむつによれば、カバーシートによって、吸収体のエンドフラップの両端縁が着用者の肌に当たることを防止することができる。
【先行技術文献】
【特許文献】
【０００５】
【特許文献１】特開２０１６−３４３４１号公報（ＪＰ２０１６−３４３４１Ａ）
【発明の概要】
【発明が解決しようとする課題】
【０００６】
特許文献１に開示された発明に係る使い捨ておむつでは、平面視においてカバーシートと吸液性コアとが重なるため、吸液性コアの両端縁がカバーシートで覆われる。これによって、表面シートの凹部によって形成される空気の流路が、カバーシートによって遮られるため、おむつの内部の通気性が低下するおそれがある。
【０００７】
本発明の課題は、従来のおむつの改良であって、おむつの内部の通気性が低下することのない使い捨て着用物品を提供することにある。
【課題を解決するための手段】
【０００８】
前記課題を解決するために、本発明は、横方向と縦方向と厚さ方向と、肌対向面と非肌対向面とを有し、前ウエスト域と、後ウエスト域と、前記前後ウエスト域の間に位置するクロッチ域と、少なくとも前記クロッチ域に配置された吸液構造体とを含み、前記前後ウエスト域の両側縁が互いに固定されて画成されたウエスト開口を有する使い捨て着用物品に関する。
【０００９】
本発明に係る使い捨て着用物品は、前記吸液構造体は、前記肌対向面側に位置する透液性の身体側ライナと、前記身体側ライナの前記非肌対向面側に位置する吸液性コアと、前記吸液性コアの両端縁から前記縦方向の外側へ延びるエンドフラップとを有し、前記身体側ライナの前記肌対向面には、前記縦方向へそれぞれ延びて前記横方向に交互に並ぶ畝部と溝部とから形成された凹凸部が位置し、前記前後ウエスト域は、前記肌対向面側に位置する内層シートと、前記非肌対向面側に位置する外層シートと、前記エンドフラップの両端縁を覆うカバーシートを有し、前記カバーシートと前記吸液性コアとは、平面視において重ならず、前記外層シートは、前記非肌対向面に位置する主体部と、前記主体部から前記縦方向の外側に延出して前記肌対向面の一部を画成する延出部と、前記主体部と前記延出部との間に位置する折曲部とを有し、前記前ウエスト域の前記外層シートにおける前記延出部の前記縦方向の内側に位置する内端部は、前記厚さ方向において前記カバーシートと前記主体部との間に位置し、前記後ウエスト域の前記外層シートにおける前記延出部の前記縦方向の内側に位置する内端部と、前記カバーシートの前記縦方向の外側に位置する外端部とは、前記平面視において離隔するように前記カバーシートを配置してあり、前記外層シートにおける前記延出部の前記内端部が、前記カバーシートの前記外端部の前記縦方向の外側に位置することを特徴とする。
【００１０】
前記身体側ライナは、熱可塑性の合成繊維を含んだ繊維不織布から形成され、前記溝部では、前記合成繊維が溶着された状態であり、前記畝部では、前記畝部に比して前記合成繊維が互いに分散された状態である。溝部では合成繊維が溶着された状態であるため、畝部の剛性よりも溝部の剛性が大きく、横方向において、身体側ライナに圧縮する力が加えられても、溝部の横方向の寸法が小さくなることを抑えることができる。このため、着用物品の肌対向面側の通気性を確保することができる。
【００１１】
前記身体側ライナは、前記横方向に対する剛性よりも前記縦方向に対する剛性が大きい。このため、身体側ライナが横方向へ沿った折曲ラインに沿って折れ曲がるのを防止することができる。
【００１２】
前記身体側ライナは、前記クロッチ域における前記畝部と前記溝部との前記厚さ方向の寸法よりも、前記前後ウエスト域における前記畝部と前記溝部との前記厚さ方向の寸法が大きい。このため、前後ウエスト域における通気性を維持することができる。
【００１３】
前記前後ウエスト域は、前記肌対向面側に位置する内面シートと、前記非肌対向面側に位置する外面シートと、前記内面シートと前記外面シートとの間に位置する弾性部材とを有し、前記弾性部材が前記横方向へ収縮することによって、前記身体側ライナは、前記クロッチ域における前記畝部と前記溝部との前記厚さ方向の寸法よりも、前記前後ウエスト域における前記畝部と前記溝部との前記厚さ方向の寸法が大きくなる。このため、前後ウエスト域の弾性部材を利用することによって、着用者の腹および背と対向する部分における通気性を維持することができる。
【００１４】
前記カバーシートの前記縦方向における中央部が前記エンドフラップに固定される一方、前記縦方向における内外端部のうち少なくとも内端部が前記エンドフラップに固定されていない。このため、カバーシートが固定されている部分を少なくすることによって、カバーシートが、弾性部材の横方向への収縮の妨げとなるのを抑えることができる。
【００１５】
前記前後ウエスト域は、前記非肌対向面に位置する主体部と、前記主体部から延出して前記肌対向面の一部を画成する延出部と、前記主体部と前記延出部との間に位置する折曲部とを有するウエストシートを備え、前記ウエスト開口は、前記ウエストシートのみによって画成してある。このため、ウエスト開口を柔軟にすることができる。
【００１６】
前記前後ウエスト域は、前記非肌対向面に位置する主体部と、前記主体部から延出して前記肌対向面の一部を画成する延出部と、前記主体部と前記延出部との間に位置する折曲部とを有するウエストシートを備え、前記後ウエスト域において、前記肌対向面における前記ウエストシートの前記延出部の端部と、前記カバーシートの端部とが前記縦方向において離れている。このため、ウエストシートの延出部の端部と、カバーシートの端部とが離れている部分は剛性が小さいから、着用中、後ウエスト域の外端部が下方へずれるのを抑えることができる。
【００１７】
前記前後ウエスト域は、前記非肌対向面に位置する主体部と、前記主体部から延出して前記肌対向面の一部を画成する延出部と、前記主体部と前記延出部との間に位置する折曲部とを有するウエストシートを備え、前記前ウエスト域において、前記肌対向面における前記ウエストシートの前記延出部の端部と、前記カバーシートの端部とが重なっている。このため、ウエストシートの延出部の端部と、カバーシートの端部とが重なっている部分は剛性が大きいため、着用物品に外部から力が加えられても、この剛性が大きい部分が突っ張り、前ウエスト域の外端部が下方へずれるのを抑えることができる。
【発明の効果】
【００１８】
本発明の１つ以上の実施形態に係る使い捨て着用物品によれば、エンドフラップの両端縁がカバーシートで覆われているため、着用者の違和感を低減することができる。加えて、カバーシートおよび吸液性コアは、平面視において重ならないため、吸液性コアの両端縁に位置する身体側ライナがカバーシートで覆われていない。これによって、身体側ライナの溝部によって形成される空気の流路が吸液性コアの外端部まで連続するため、着用物品の肌対向面側の通気性を向上することができる。
【図面の簡単な説明】
【００１９】
図面は、本開示に係る本発明の特定の実施の形態を示し、発明の不可欠な構成ばかりでなく、選択的及び好ましい実施の形態を含む。
【図１】本発明に係る使い捨て着用物品（おむつ）の斜視図。
【図２】各弾性体をおむつの縦方向及び横方向に伸長させた状態における、おむつの一部破断展開図。
【図３】前ウエスト域の部分拡大図。
【図４】図３に示すＩＶ−ＩＶ線に沿う断面図。
【図５】後ウエスト域の部分拡大図。
【図６】図５に示すＶＩ−ＶＩ線に沿う断面図。
【図７】身体側ライナの斜視図。
【図８】溶着装置の側面図。
【図９】溶着装置の断面図。
【図１０】身体側ライナの拡大断面図。
【発明を実施するための形態】
【００２０】
下記の実施の形態は、図１〜図１０に示す使い捨て着用物品に関し、発明の不可欠な構成ばかりではなく、選択的及び好ましい構成を含む。
【００２１】
図１〜６を参照すると、本発明における使い捨て着用物品の一例である使い捨ておむつ１０は、縦方向Ｙ及びそれに直交する横方向Ｘを有し、肌対向面及びそれに対向する非肌対向面と、ウエスト回り方向へ延びる環状の弾性ウエストパネル１１と、弾性ウエストパネル１１の肌対向面側に取り付けられた吸収シャーシ（吸液構造体）１２と、前ウエスト域１３と、後ウエスト域１４と、前後ウエスト域１３，１４間に位置するクロッチ域１５とを含む。
【００２２】
弾性ウエストパネル１１は、ウエスト回り方向へ伸縮する弾性ベルト機能を有し、前ウエスト域１３を形成する前ウエストパネル１６と、後ウエスト域１４を形成する後ウエストパネル１７とを含む。
【００２３】
前ウエストパネル１６は、内端縁１６ａと、外端縁１６ｂと、内端縁１６ａから外端縁１６ｂへ延びる両側縁１６ｃ，１６ｄとによって画定された略長方形状を有する。後ウエストパネル１７は、内端縁１７ａと、外端縁１７ｂと、外端縁１７ｂから縦方向Ｙの内方へ延びる第１両側縁（後ウエスト域の両側縁）１７ｃ，１７ｄと、第１両側縁１７ｃ，１７ｄから縦方向Ｙの内方へ斜めに延びる第２両側縁１７ｅ，１７ｆとによって画定された略台形状を有する。
【００２４】
互いに対向する前ウエストパネル１６の両側縁１６ｃ，１６ｄと後ウエストパネル１７の第１両側縁１７ｃ，１７ｄとは、互いに重ね合わされ、縦方向Ｙへ断続的に並ぶサイドシーム１８によって連結（例えば、熱エンボス加工、ソニック等による各種の熱溶着手段によって連結）され、ウエスト開口１９と一対のレッグ開口２０とが画定される。
【００２５】
前後ウエストパネル１６，１７は、それぞれ、肌対向面側に位置する内層シート（内面シート）２１，２２と、非肌対向面側に位置する外層シート（外面シート）２３，２４とを含む。内外層シート２１〜２４は、質量１０〜３０ｇ／ｍ２のＳＭＳ（スパンボンド・メルトブローン・スパンボンド）繊維不織布、スパンボンド繊維不織布若しくはエアスルー繊維不織布、または、プラスチックシート、開孔プラスチックシート及びそれらのラミネートシートなどを用いることができる。
【００２６】
外層シート２３，２４は、非肌対向面に位置する主体部２３ａ，２４ａと、主体部２３ａ，２４ａから縦方向Ｙの外側へ延出して肌対向面の一部を画成する延出部２３ｂ，２４ｂと、主体部２３ａ，２４ａと延出部２３ｂ，２４ｂとの間に位置する折曲部２３ｃ，２４ｃとを有している。ウエスト開口１９は、外層シート２３，２４のみによって画成してあるため、シートの枚数を可及的に少なくし、ウエスト開口１９を柔軟にすることができる。ウエスト開口１９が柔軟になるため、幼児のお腹の動き等で前後ウエスト域１３，１４が下方へずり下がろうとする力を緩衝することができ、身体側ライナ４４の縦方向Ｙへ連続する溝部６２によって形成される空間を維持することができる。これによって、おむつ１０の内部の空気を溝部６２に沿って流れやすくすることができる。
【００２７】
前ウエスト域１３における延出部２３ｂは、内層シート２１に延出部２３ｂの全域を固定する接合域８０を有している（図４参照）。一方、後ウエスト域１４における延出部２４ｂは、内層シート２２に固定する接合域８１を縦方向Ｙの外側に有する一方、内層シート２２に固定しない非接合域８２ａを縦方向Ｙの内側に有し（図６参照）、外層シート２４の主体部２４ａと延出部２４ｂとを固定しない非接続域８２ｂを縦方向Ｙの外側に有している（図６参照）。
【００２８】
前後ウエストパネル１６，１７の内層シート２１，２２と外層シート２３，２４との間には、ストリング状又はストランド状の複数条の前後ウエスト弾性体（弾性部材）２７，２８が横方向Ｘへ伸縮可能にそれぞれ配設されており、前後ウエストパネル１６，１７は少なくとも横方向Ｘへ弾性化されている。前ウエスト弾性体２７は、ウエスト開口１９に沿って横方向Ｘへ延びる前上方ウエスト弾性体２７Ａと、前上方ウエスト弾性体２７Ａと内端縁１６ａとの間において横方向Ｘへ延びる前下方ウエスト弾性体２７Ｂとを有する。後ウエスト弾性体２８は、ウエスト開口１９に沿って横方向Ｘへ延びる後上方ウエスト弾性体２８Ａと、後上方ウエスト弾性体２８Ａと内端縁１７ａとの間において横方向Ｘへ延びる後下方ウエスト弾性体２８Ｂとを有する。
【００２９】
前後下方ウエスト弾性体２７Ｂ，２８Ｂは、それぞれ、前後ウエスト域１３，１４の中央部においてその一部が切断又は除去されており、前後非伸縮域３６，３７が画定される。このように、前後非伸縮域３６，３７が前後ウエスト域１３，１４の中央部に位置することから、前後ウエストパネル１６，１７の内面に位置する吸収シャーシ１２の中央部（吸液性コアの中央部）に前後下方ウエスト弾性体２７Ｂ，２８Ｂの収縮力が直接作用されてギャザー等が形成されないので、その収縮力が作用することによる吸収性能の低下を抑制することができる。
【００３０】
前後ウエスト弾性体２７，２８としては、例えば、繊度が４７０〜１２４０ｄｔｅｘであって，１．５〜３．５倍に伸長された状態で配設されたストリング状又はストランド状の弾性材料を用いることができる。前後ウエスト弾性体２７，２８の繊度、伸長倍率、各弾性体間の離間寸法（ピッチ）等の条件は適宜変更することが可能であるが、着用者の身体に安定的に着用されるために、前後上方ウエスト弾性体２７Ａ，２８Ａによる伸縮域の伸長力が、前後下方ウエスト弾性体２７Ｂ，２８Ｂによる伸縮域のそれよりも大きくなるように各弾性体の条件を設定することが好ましい。
【００３１】
前ウエスト域１３の内外層シート２１，２３と後ウエスト域１４の内外層シート２２，２４とは、それらの内面にホットメルト接着剤は塗布されておらず、サイドシーム１８による接合部分を除き、それぞれ、前後ウエスト弾性体２７，２８に塗布されたホットメルト接着剤を介してのみ互いに接合される。ホットメルト接着剤は、前後ウエスト弾性体２７，２８の全周において、内外層シート２１〜２４と対向する部分に塗布されていればよい。
【００３２】
図２及び３を参照すると、吸収シャーシ１２は、前後ウエストパネル１６，１７の肌対向面に取り付けられた前後端部１２Ａ，１２Ｂと、少なくともクロッチ域１５において縦方向Ｙへ延びる吸液性コア４３と、吸液性コア４３の肌対向面側に位置する親水性の繊維不織布から形成された透液性の身体側ライナ（トップシート）４４と、吸液性コア４３の非肌対向面側に位置する疎水性又は難透液性の繊維不織布から形成されたバックシート４５と、吸液性コア４３とバックシート４５との間に配置された、少なくとも吸液性コア４３のバックシート４５と対向する面全体を被覆する大きさを有する不透液性の防漏シート４６とを含む。身体側ライナ４４とバックシート４５には、ＳＭＳ繊維不織布やスパンボンド不織布等の各種公知の繊維不織布を用いることができる。
【００３３】
吸液性コア４３は、所要量の超吸収性ポリマー粒子とフラッフパルプとを混合したものであって、おむつ１０を構成する内外層シート２１〜２４等のシート部材に比して剛性の高い半剛性を有する。また、吸液性コア４３は、縦方向Ｙにおける中央部が幅狭状を有するパネル形態をなすものであって、その全体がティッシュ等の液拡散性シートで被包されている。
【００３４】
身体側ライナ４４とバックシート４５は、吸液性コア４３の縦方向Ｙの両端部から外側へ延出し、その延出した部分どうしが互いに重ね合わされてホットメルト接着剤（図示せず）を介して接合されることによって、吸液性コア４３の両端部から縦方向Ｙの外側へ延出する一対のエンドフラップ５３，５４が形成される。
【００３５】
バックシート４５は、防漏シート４６の両側縁から横方向Ｘの外側に位置する両側部４７を有する。両側部４７は、防漏シート４６の両側縁に位置して縦方向Ｙへ延びる折曲ラインにそって肌対向面側へ折曲され、身体側ライナ４４に固定されて縦方向へ互いに離隔する両端固定部４８と、身体側ライナ４４の両側縁部および防漏シート４６の両側縁部に固定される近位縁部４９と、両端固定部の間において縦方向へ延び、かつ近位縁部と並行して縦方向へ延びる遠位縁部５０（自由縁部）とを有する。
【００３６】
遠位縁部５０は、バックシート４５の外側縁部を折り曲げて固定することによって形成されたスリーブ状をなし、縦方向へ延びる複数条のストリング状またはストランド状のカフ弾性体５１が伸長状態で収縮可能な態様でバックシート４５に固定してある。カフ弾性体５１が収縮することによって、遠位縁部５０が身体側ライナ４４から着用者の身体側へ離れて防漏カフを形成し、着用者の大腿部にフィットして排泄物の漏れを防止する。バックシート４５の両側部４７であって、防漏カフの横方向Ｘの外側には、縦方向Ｙへ延びる複数条のストリング状またはストランド状のレッグ弾性体５２が伸長状態で収縮可能な態様でバックシート４５に固定してある。
【００３７】
身体側ライナ４４の肌対向面および非肌対向面には、図３，図５，および図７に示すように、畝部６１と溝部６２とによって形成された凹凸部６３が位置している。畝部６１および溝部６２は、縦方向Ｙへそれぞれ延び、横方向Ｘにおいて交互に配置してある。横方向Ｘにおいて、互いに隣接する畝部６１の間隔は、０．５〜１０．０ｍｍであり、互いに隣接する溝部６２の間隔は、０．５〜１０．０ｍｍである。畝部６１および溝部６２の間隔が０．５ｍｍより小さいと、おむつ１０の内部の通気性が得られない一方、１０．０ｍｍより大きいと、溝部６２が着用者の肌に接触し、肌触りが悪くなるおそれがある。畝部６１および溝部６２の間隔が０．５〜１０．０ｍｍであれば、おむつ１０の内部の通気性を確保することができるとともに、肌触りを良好にすることができる。
【００３８】
身体側ライナ４４は、例えば、以下の方法によって製造することができる。例えば、身体側ライナ４４として、熱可塑性の合成繊維６５を含んだ繊維不織布のウェブを用い、以下のような溶着装置６０によってウェブから身体側ライナ４４を製造する。
【００３９】
溶着装置６０は、図８および図９に示すように、第１ローラ６６と第２ローラ６７とを有している。第１ローラ６６および第２ローラ６７は、第１ローラ６６および第２ローラ６７の周面から径外方向へ突出する凸部６６ａ，６７ａと、凸部６６ａ，６７ａの間に位置する凹部６６ｂ，６７ｂとを有している。凸部６６ａ，６７ａおよび凹部６６ｂ，６７ｂは、第１ローラ６６および第２ローラ６７の周面に沿って延び、第１ローラ６６および第２ローラ６７を連続する態様で一周している。第１ローラ６６および第２ローラ６７は、互いの凸部６６ａ，６７ａと凸部６６ａ，６７ａとが対向し、かつ互いの凹部６６ｂ，６７ｂと凹部６６ｂ，６７ｂとが対向するように配置してある。第１ローラ６６および第２ローラ６７において、凸部６６ａ，６７ａの径方向内側には、不図示のヒータを内蔵しており、ヒータによって凸部６６ａ，６７ａの周面を、ウェブ６４の合成繊維６５を溶着することができる所定の温度に加熱することができる。これら第１ローラ６６と第２ローラ６７とによって構成される一対のローラ６６，６７の間に、ウェブ６４を通過させ、凸部６６ａ，６７ａと凸部６６ａ，６７ａとの間に位置する合成繊維６５を溶着して溝部６２を形成する一方、凹部６６ｂ，６７ｂと凹部６６ｂ，６７ｂとの間に位置する合成繊維６５を溶着せずに畝部６１を形成する。
【００４０】
溝部６２では、熱可塑性の合成繊維６５が溶着された状態であり、畝部６１では、熱可塑性の合成繊維６５が溶着されていないため、溝部６２に比して合成繊維６５が互いに分散された状態である。このため、図１０に示すように、溝部６２の厚さ方向Ｚの寸法ｔ１は、畝部６１の厚さ方向Ｚの寸法ｔ２よりも小さい。溝部６２では、合成繊維６５が溶着された状態であるため、溝部６２の剛性が、畝部６１の剛性よりも大きい。このため、ウエスト弾性体２７，２８の収縮等によって、横方向Ｘにおいて、身体側ライナ４４に圧縮する力が加えられても、溝部６２の寸法が小さくなることを抑えることができる。このため、おむつ１０の肌対向面の通気性を確保することができる。
【００４１】
また、身体側ライナ４４は、畝部６１および溝部６２はそれぞれ縦方向Ｙへ連続するように伸びるとともに、畝部６１の剛性よりも溝部６２の剛性が大きいため、横方向Ｘへ圧縮する力に対する剛性よりも、縦方向Ｙへ圧縮する力に対する剛性が大きい。このため、身体側ライナ４４が縦方向Ｙへずれるのを防止することができる。
【００４２】
前後下方ウエスト弾性体２７Ｂ，２８Ｂが位置するため、着用状態では、前後下方ウエスト弾性体２７Ｂ，２８Ｂが横方向Ｘへ収縮し、前後ウエスト域１３，１４に位置する身体側ライナ４４は横方向Ｘへ収縮する一方、クロッチ域１５においては、横方向Ｘへ収縮する弾性体が存在しないため、クロッチ域１５に位置する身体側ライナ４４は、横方向Ｘへほとんど収縮しない。このため、身体側ライナ４４は、クロッチ域１５における畝部６１と溝部６２との厚さ方向Ｚの寸法よりも、前後ウエスト域１３，１４における畝部６１と溝部６２との厚さ方向Ｚの寸法が大きくなる。前後ウエスト域１３，１４の前後下方ウエスト弾性体２７Ｂ，２８Ｂを利用することによって、着用者の腹および背に対向する部分における通気性を維持することができる。
【００４３】
このおむつ１０の前後ウエスト域１３，１４は、肌対向面側に、エンドフラップ５３，５４の両端縁５３ａ，５４ａを覆う一方、平面視において、吸液性コア４３とは重ならないカバーシート７０，７１を有している。カバーシート７０，７１には、例えば、質量１０〜３０ｇ／ｍ２のＳＭＳ繊維不織布、スパンボンド繊維不織布等を用いることができる。カバーシート７０，７１の質量が１０ｇ／ｍ２より小さいと、必要な耐久性が得られずに破れるおそれがある一方、３０ｇ／ｍ２より大きいと剛性が大きすぎて肌触りが悪くなるおそれがある。カバーシート７０，７１の質量が１０〜３０ｇ／ｍ２であれば、破ぶれるおそれを小さくすることができるとともに、肌触りを良好にすることができる。また、本明細書において、平面視において、吸液性コア４３とカバーシート７０，７１とが重ならないとは、前後ウエストパネル１６，１７の両側縁１６ｃ，１６ｄにおけるサイドシーム１８の連結を解き、前後ウエスト域１３，１４およびクロッチ域１５を弾性体の収縮によるギャザーがなくなるまで伸長した状態において、吸液性コア４３とカバーシート７０，７１とが重ならないことをいう。
【００４４】
前ウエスト域１３に位置するカバーシート７０は、図３および図４に示すように、縦方向Ｙの中央部７２において、肌対向面に位置する外層シート２３の延出部２３ｂと、エンドフラップ５３の肌対向面に位置する身体側ライナ４４とにホットメルト接着剤等の接合域７３を介在させて固定してある一方、縦方向Ｙの両端部７２ａ，７２ｂにおいて、肌対向面に位置する外層シート２３の延出部２３ｂ、およびエンドフラップ５３の肌対向面に位置する身体側ライナ４４に対して非接合域７３ａ，７３ｂを介在させて固定していない。このため、ホットメルト接着剤の量を減らしてカバーシート７０の肌触りが低下することを抑えることができる。しかも、縦方向Ｙの内側に位置するカバーシート７０の一方の端部７２ｂ（両端部７２ａ，７２ｂのうち縦方向Ｙの内側に位置する内端部）は、吸液性コア４３の端縁４３ａに隣接するように配置してあるため、着用中、吸液性コア４３の端縁４３ａに当たることによりカバーシート７０の一方の端部７２ｂが肌対向面の側へ折り返される。このようにカバーシート７０の一方の端部７２ｂが肌対向面の側へ折り返されると、身体側ライナ４４の溝部６２によって形成される空気の流通路が、カバーシート７０によって妨げられることがないため、ホットメルト接着剤の量を減らしてカバーシート７０の肌触りが低下することを抑えながら、おむつ１０の内部の通気性が低下するのを抑えることができる。
【００４５】
後ウエスト域１４に位置するカバーシート７１は、図５および図６に示すように、縦方向Ｙの中央部７４において、肌対向面に位置する内層シート２２と、エンドフラップ５４の肌対向面に位置する身体側ライナ４４とにホットメルト接着剤等の接合域７５を介して固定してある一方、縦方向Ｙの両端部７４ａ，７４ｂにおいて、肌対向面に位置する内層シート２２、およびエンドフラップ５４の肌対向面に位置する身体側ライナ４４に対して非接合域７５ａ，７５ｂを介在させて固定していない。このため、ホットメルト接着剤の量を減らしてカバーシート７１の肌触りが低下することを抑えることができる。しかも、縦方向Ｙの内側に位置するカバーシート７１の一方の端部（内端縁）７４ａは、吸液性コア４３の端縁４３ｂに隣接するように配置してあるため、着用中、吸液性コア４３の端縁４３ｂに当たることによりカバーシート７１の一方の端部７４ａが肌対向面の側へ折り返される。このようにカバーシート７１の一方の端部７４ａが肌対向面の側へ折り返されると、身体側ライナ４４の溝部６２によって形成される空気の流通路が、カバーシート７１によって妨げられることがないため、ホットメルト接着剤の量を減らしてカバーシート７１の肌触りが低下することを抑えながら、おむつ１０の内部の通気性が低下するのを抑えることができる。本明細書において、カバーシート７０，７１の内端部とは、縦方向Ｙの内側に位置する一方の端部７２ｂ，７４ａをいい、カバーシート７０，７１の外端部とは、縦方向Ｙの外側に位置する他方の端部７２ａ，７４ｂをいう。
【００４６】
また、エンドフラップ５３，５４の両端縁５３ａ，５４ａがカバーシート７０，７１で覆われているため、エンドフラップ５３，５４の両端縁５３ａ，５４ａが着用者の肌に当たることをカバーシート７０，７１で防止でき、着用者の違和感を低減することができる。加えて、カバーシート７０，７１および吸液性コア４３は、平面視において重ならないため、吸液性コア４３の両端縁４３ａ，４３ｂに重なる（位置する）身体側ライナ４４は、カバーシート７０，７１で覆われていない。これによって、身体側ライナ４４の溝部６２によって形成される空気の流通路が吸液性コア４３の両端縁４３ａ，４３ｂまで連続するため、おむつ１０の肌対向面側の通気性を向上することができる。
【００４７】
後ウエスト域１４において、図５および図６に示すように、肌対向面における外層シート２４の延出部２４ｂの端部２４ｄと、カバーシート７１の端部７４ｂとが縦方向Ｙにおいて離れているため、延出部２４ｂの端部２４ｄと、カバーシート７１の端部７４ｂとの間には、内層シート２２および外層シート２４の主体部２４ａのみが位置している。この内層シート２２および主体部２４ａのみが位置している部分は、シートの積層枚数が少ないために剛性が小さく、着用中、大便等の排泄物がおむつ１０に排出されても、内層シート２２および主体部２４ａのみが位置している部分が緩衝域となり、後ウエスト域１４の外端縁１７ｂが下方へずれるのを防止することができる。
【００４８】
後ウエスト域１４において、外層シート２４の延出部２４ｂは、縦方向Ｙの内側に位置する端部（内端部）２４ｄと、縦方向の外側に位置する端部（外端部）２４ｅと、両端部２４ｄ，２４ｅとの間に位置する中央部２４ｆとを有しており、中央部２４ｆはホットメルト接着剤等の接合域８１を介して内層シート２２に固定される一方、両端部２４ｄ，２４ｅには、ホットメルト接着剤等が塗布されておらず内層シート２２に固定されない非接合域８２ａ，８２ｂを配置してある。このため、ホットメルト接着剤の量を減らして外層シート２４の延出部２４ｂの肌触りが低下することを抑えることができる。しかも、外層シート２４の延出部２４ｂは、内層シート２２に固定しない非接合域８２ａを縦方向Ｙの一方の端部（内端部）２４ｄに有しているため、着用中、おむつ１０に尿等の排泄物が排出され、重力によっておむつ１０の後ウエスト域１４が下方へずれると、延出部２４ｂの縦方向Ｙの一方の端部（内端部）２４ｄには非接合域８１ａが位置するため、延出部２４ｂにおける一方の端部（内端部）２４ｄは、着用者の肌に接触して肌対向面の側へ折り返される。このように延出部２４ｂの一方の端部（内端部）２４ｄが肌対向面の側へ折り返されると、身体側ライナ４４の溝部６２によって形成される空気の流通路が、延出部２４ｂによって妨げられることがないため、ホットメルト接着剤の量を減らして延出部２４ｂの肌触りが低下することを抑えながら、おむつ１０の内部の通気性が低下することを抑えることができる。
【００４９】
前ウエスト域において、図３および図４に示すように、肌対向面における外層シート２３の延出部２３ｂの端部２３ｄと、カバーシート７０の端部７０ａとが重なっているため、これら外層シート２３の延出部２３ｂの端部２３ｄとカバーシート７０の端部７０ａとが重なっている部分は剛性が大きい。このため、着用中、外部からおむつ１０に力が加えられても、おむつ１０がずれるのを抑えることができる。
【００５０】
なお、上述した実施の形態には、カバーシート７０，７１の縦方向Ｙにおける中央部７２，７４がエンドフラップ５３，５４および外層シート２３，２４の延出部２３ｂ，２４ｂまたは内層シート２１，２２に接合域７３，７５を介して固定される一方、縦方向Ｙの両端部７２ａ，７２ｂ，７４ａ，７４ｂが非接合域７３ａ，７３ｂ，７５ａ，７５ｂによってエンドフラップ５３，５４および外層シート２３，２４の延出部２３ｂ，２４ｂまたは内層シート２１，２２に固定されていないものを説明した。しかし、この発明はそれに限られず、カバーシート７０，７１の両端部７２ａ，７２ｂ，７４ａ，７４ｂのうち、縦方向Ｙの内側に位置する一方の端部（内端部）７２ｂ，７４ａがエンドフラップ５３，５４に固定されていればよい。
【００５１】
また、上述した実施の形態には、身体側ライナ４４が、肌対向面および非肌対向面のいずれにも畝部６１と溝部６２とから形成された凹凸部６３が位置するもので説明した。しかし、この発明はそれに限られず、身体側ライナは、肌対向面にのみ、畝部６１と溝部６２とから形成された凹凸部６３が位置してもよい。
【００５２】
おむつ１０を構成する部材には、特に明記されていない限りにおいて、本明細書に記載されている材料のほかに、この種の分野において通常用いられている公知の材料を制限なく用いることができる。また、本明細書において使用されている「第１」および「第２」等の用語は、同様の要素、位置等を単に区別するために用いてある。
【符号の説明】
【００５３】
１０    使い捨ておむつ（使い捨て着用物品）
１２    吸液構造体
１３    前ウエスト域
１４    後ウエスト域
１５    クロッチ域
１６ｃ  前ウエスト域の両側縁
１６ｄ  後ウエスト域の両側縁
１９    ウエスト開口
２３    外層シート（ウエストシート）
２３ａ  主体部
２３ｂ  延出部
２３ｃ  折曲部
２３ｄ  端部
２４    外層シート（ウエストシート）
２４ａ  主体部
２４ｂ  延出部
２４ｃ  折曲部
２４ｄ  端部
４３    吸液性コア
４３ａ  端縁
４３ｂ  端縁
４４    身体側ライナ
５３    エンドフラップ
５３ａ  端縁
５４    エンドフラップ
５４ａ  端縁
６１    畝部
６２    溝部
６５    合成繊維
７０    前ウエスト域に位置するカバーシート
７１    後ウエスト域に位置するカバーシート
７２    中央部
７２ｂ  前ウエスト域において縦方向の内側に位置するカバーシートの一方の端部（内端部）
７４    中央部
７４ａ  後ウエスト域において縦方向の内側に位置するカバーシートの一方の端部（内端部）
Ｘ      横方向
Ｙ      縦方向
Ｚ      厚さ方向
【図１】
0006433461.tif 000002
【図２】
0006433461.tif 000003
【図３】
0006433461.tif 000004
【図４】
0006433461.tif 000005
【図５】
0006433461.tif 000006
【図６】
0006433461.tif 000007
【図７】
0006433461.tif 000008
【図８】
0006433461.tif 000009
【図９】
0006433461.tif 000010
【図１０】
0006433461.tif 000011